(57)【要約】      （修正有）【課題】開き戸の開放側端部の対向面部の様々な位置にある凹部に適用することができる開き戸閉止固定部材を提供する。【解決手段】開き戸閉止固定部材１０は、開き戸１１の開放側端部１１ａと、開き戸１１が閉止した状態における開放側端部１１ａの対向面部となる枠材１２の側面１２ａとの間に着脱可能に装着され、開き戸１１を施錠した状態で閉止固定する開き戸閉止固定部材である。そして、この開き戸閉止固定部材１０は、孔部１３，・・・を有する板状本体部１４と、板状本体部１４の一端部に設けられ、対向面部となる枠材１２の側面１２ａに開設された凹部１５に係止可能な係止片部１６と、板状本体部１４に移動可能に装着され、開き戸１１に当接して開き戸１１を固定する固定片部１７と、孔部１３に係止され、固定片部１７の開き戸１１の固定状態を解放可能に維持する着脱可能な錠前としての南京錠１８とを有する。【選択図】図１
0003219713.tif 000002
【実用新案登録請求の範囲】
【請求項１】
開き戸の開放側端部と、前記開き戸が閉止した状態における前記開放側端部の対向面部との間に着脱可能に装着され、前記開き戸を施錠した状態で閉止固定する開き戸閉止固定部材であって、
孔部を有する板状本体部と、前記板状本体部の一端部に設けられ、前記対向面部に開設された凹部に係止可能な係止片部と、前記板状本体部に移動可能に装着され、前記開き戸に当接して前記開き戸を固定する固定片部と、前記孔部に係止され、前記固定片部の前記開き戸の固定状態を解放可能に維持する着脱可能な錠前とを有し、
前記開き戸が開放された状態で前記係止片部を前記凹部に係止させ、前記開き戸を閉止し、閉止した前記開き戸の外方から前記固定片部を前記開き戸の前記開放側端部に当接させ、前記錠前を前記孔部に係止させて前記固定片部を前記開き戸の前記開放側端部に圧接させることにより前記開き戸を開放不可能に閉止固定することを特徴とする開き戸閉止固定部材。
【請求項２】
前記板状本体部は長方形板状に形成され、前記係止片部は前記板状本体部の長さ方向一端部において折曲形成されていると共に、前記固定片部には前記板状本体部が挿通可能なスリット部が開設され、前記固定片部は前記スリット部を介して前記板状本体部に挿通されて装着固定されており、前記孔部は前記板状本体部の長さ方向及び幅方向に沿って複数設けられていることを特徴とする請求項１記載の開き戸閉止固定部材。
【請求項３】
前記板状本体部の長さ方向他端部には、装着された状態において反開き戸方向に折曲形成され、前記開き戸の開放時に前記錠前を前記板状本体部から取り外すことにより前記固定片部を前記開き戸との当接状態から解除する固定片部解放部を有することを特徴とする請求項２記載の開き戸閉止固定部材。
【請求項４】
前記固定片部解放部は、前記板状本体部の長さ方向他端部を前記係止片部と同一の方向へ折曲して形成されている共に、前記スリット部の幅寸法よりも大きな長さ寸法の係止部を有していることを特徴とする請求項３記載の開き戸閉止固定部材。
【請求項５】
前記前記板状本体部の長さ方向他端部には、使用者を特定する情報が記載されたタグを係止できる係止部が設けられていることを特徴とする請求項２記載の開き戸閉止固定部材。
【請求項６】
前記スリット部は前記板状本体部の幅寸法及び板厚寸法よりも大きな幅寸法及び長さ寸法に形成され、前記固定片部は前記長さ方向一端部側から前記板状本体部に挿入して装着できるように構成されていることを特徴とする請求項２記載の開き戸閉止固定部材。
【請求項７】
前記固定片解放部は、湾曲部と、前記湾曲部の端部に形成された係止部とを有し、前記開き戸の開放時には、前記固定片部を前記板状本体部と略平行な状態で保持して前記固定片部の前記開き戸との当接状態を解除することを特徴とする請求項３記載の開き戸閉止固定部材。
【請求項８】
前記固定片部の側面に磁石が設けられており、前記開き戸に着脱可能とされていることを特徴とする請求項１乃至７のいずれか１項に記載の開き戸閉止固定部材。
【考案の詳細な説明】
【技術分野】
【０００１】
本考案は、開き戸を施錠するために使用される開き戸閉止固定部材に係り、特に、開き戸の外側へ着脱可能であり、南京錠等の錠前と組み合わせて開き戸を施錠しうる開き戸閉止固定部材に関するものである。
【背景技術】
【０００２】
従来より、特許文献１に開示された技術をはじめ、開き戸の外側へ着脱可能であり、南京錠等の錠前と組み合わせて開き戸を施錠しうる開き戸閉止固定部材が、提案されている。
【０００３】
しかしながら、特許文献１に開示されたような従来技術では、開き戸の開放側端部の通常枠材に形成される対向面部の決まった位置にある開き戸のレバーハンドル等と連動する突部が嵌まり込む凹部にしか適用することができないという問題点があった。
【先行技術文献】
【特許文献】
【０００４】
【特許文献１】特開２００１−１４０５２３号公報
【考案の概要】
【考案が解決しようとする課題】
【０００５】
本考案は、以上のような従来の問題点を解消するためのものであって、その課題は、開き戸の開放側端部の対向面部の様々な位置にある凹部に適用することができる開き戸閉止固定部材を提供することにある。
【課題を解決するための手段】
【０００６】
前記課題を解決するために、請求項１記載の考案にあっては、開き戸の開放側端部と、前記開き戸が閉止した状態における前記開放側端部の対向面部との間に着脱可能に装着され、前記開き戸を施錠した状態で閉止固定する開き戸閉止固定部材であって、孔部を有する板状本体部と、前記板状本体部の一端部に設けられ、前記対向面部に開設された凹部に係止可能な係止片部と、前記板状本体部に移動可能に装着され、前記開き戸に当接して前記開き戸を固定する固定片部と、前記孔部に係止され、前記固定片部の前記開き戸の固定状態を解放可能に維持する着脱可能な錠前とを有し、前記開き戸が開放された状態で前記係止片部を前記凹部に係止させ、前記開き戸を閉止し、閉止した前記開き戸の外方から前記固定片部を前記開き戸の前記開放側端部に当接させ、前記錠前を前記孔部に係止させて前記固定片部を前記開き戸の前記開放側端部に圧接させることにより前記開き戸を開放不可能に閉止固定することを特徴とする。
【０００７】
従って、請求項１記載の考案にあっては、前記板状本体部がまっすぐなため、設置するにあたり、前記開き戸の開放側端部及び前記対向面の表面側と前記凹部との間の寸法にそれ程厳しい要求は必要とされないで機能することができる。
【０００８】
請求項２記載の考案にあっては、前記板状本体部は長方形板状に形成され、前記係止片部は前記板状本体部の長さ方向一端部において折曲形成されていると共に、前記固定片部には前記板状本体部が挿通可能なスリット部が開設され、前記固定片部は前記スリット部を介して前記板状本体部に挿通されて装着固定されており、前記孔部は前記板状本体部の長さ方向及び幅方向に沿って複数設けられていることを特徴とする。
【０００９】
従って、請求項２記載の考案にあっては、前記孔部は前記板状本体部の長さ方向及び幅方向に沿って複数設けられているため、設置するにあたり、前記開き戸の開放側端部及び前記対向面の表面側と前記凹部との間の寸法に大きな違いがあっても、また、前記開き戸が左開き、右開きにかかわらず、それに対応して機能することができる。
【００１０】
請求項３記載の考案にあっては、前記板状本体部の長さ方向他端部には、装着された状態において反開き戸方向に折曲形成され、前記開き戸の開放時に前記錠前を前記板状本体部から取り外すことにより前記固定片部を前記開き戸との当接状態から解除する固定片部解放部を有することを特徴とする。
【００１１】
従って、請求項３記載の考案にあっては、前記開き戸の開放時に前記固定片部を前記板状本体部の長さ方向他端部において前記板状本体部と反開き戸方向に傾けることができる。
【００１２】
請求項４記載の考案にあっては、前記固定片部解放部は、前記板状本体部の長さ方向他端部を前記係止片部と同一の方向へ折曲して形成されている共に、前記スリット部の幅寸法よりも大きな長さ寸法の係止部を有していることを特徴とする。
【００１３】
従って、請求項４記載の考案にあっては、前記固定片部解放部は、前記固定片部の前記スリット部の幅寸法よりも大きな長さ寸法の係止部を有しているため、前記板状本体部の長さ方向他端部から抜け落ちることがない。
【００１４】
請求項５記載の考案にあっては、前記前記板状本体部の長さ方向他端部には、使用者を特定する情報が記載されたタグを係止できる係止部が設けられていることを特徴とする。
【００１５】
従って、請求項５記載の考案にあっては、万一、落としたり、紛失したりしても、前記タグに記載された情報により、使用者を特定することができる。
【００１６】
請求項６記載の考案にあっては、前記スリット部は前記板状本体部の幅寸法及び板厚寸法よりも大きな幅寸法及び長さ寸法に形成され、前記固定片部は前記長さ方向一端部側から前記板状本体部に挿入して装着できるように構成されていることを特徴とする。
【００１７】
従って、請求項６記載の考案にあっては、前記板状本体部と前記固定片部とを個別に製造して組み立てて使用することができる。
【００１８】
請求項７記載の考案にあっては、前記固定片解放部は、湾曲部と、前記湾曲部の端部に形成された係止部とを有し、前記開き戸の開放時には、前記固定片部を前記板状本体部と略平行な状態で保持して前記固定片部の前記開き戸との当接状態を解除することを特徴とする。
【００１９】
従って、請求項７記載の考案にあっては、前記開き戸の開放時には、前記固定片部を前記板状本体部と略平行な状態で保持して前記固定片部の前記開き戸との当接状態を解除することができる。
【００２０】
請求項８記載の考案にあっては、前記固定片部の側面に磁石が設けられており、前記開き戸に着脱可能とされている。
【００２１】
従って、請求項８記載の考案にあっては、前記開き戸が鋼製等である場合、前記開き戸の閉鎖時に前記固定片部が前記開き戸の前記開放側端部の表面に磁力で固定される。
【考案の効果】
【００２２】
請求項１記載の開き戸閉止固定部材にあっては、前記板状本体部がまっすぐなため、設置するにあたり、前記開き戸の開放側端部及び前記対向面の表面側と前記凹部との間の寸法にそれ程厳しい要求は必要とされないで機能することができるので、前記開き戸の開放側端部の前記対向面部の様々な位置にある前記凹部に適用することができる開き戸閉止固定部材を提供することができる。
【００２３】
特に、本考案に係る開き戸閉止固定部材は、本願考案者が考案した実用新案登録第３２１３５６６号公報に開示された宅配ボックスを実施するにあたり、好適な技術であり、メーターボックスに加工を施さなくとも、メーターボックスの開き戸を施錠することができ、宅配ボックスとして利用することができる画期的な技術である。
【００２４】
請求項２記載の開き戸閉止固定部材にあっては、前記孔部は前記板状本体部の長さ方向及び幅方向に沿って複数設けられているため、設置するにあたり、前記開き戸の開放側端部及び前記対向面の表面側と前記凹部との間の寸法に大きな違いがあっても、また、前記開き戸が左開き、右開きにかかわらず、それに対応して機能することができるので、使い勝手が良い。
【００２５】
請求項３記載の開き戸閉止固定部材にあっては、前記開き戸の開放時に前記固定片部を前記板状本体部の長さ方向他端部において前記板状本体部と反開き戸方向に傾けることができるので、前記開き戸を開放状態にする際、前記固定片部が邪魔をせずに開放することができ、前記板状本体を短くして実施することができ、全体を低コスト且つ美観を呈するコンパクトなものにすることができる。
【００２６】
請求項４記載の開き戸閉止固定部材にあっては、前記固定片部解放部は、前記固定片部の前記スリット部の幅寸法よりも大きな長さ寸法の係止部を有しているため、前記板状本体部の長さ方向他端部から抜け落ちることがないので、不使用状態で、前記板状本体部と前記固定片部とが、前記固定片部解放部から分解状態になってしまうおそれがない。
【００２７】
請求項５記載の開き戸閉止固定部材にあっては、万一、落としたり、紛失したりしても、前記タグに記載された情報により、使用者を特定することができるので、安心して使用することができる。
【００２８】
なお、前記タグとしては、本願考案者が考案した実用新案登録第３１９４６９２号公報に開示されたボタンを好適に使用することができる。
【００２９】
請求項６記載の開き戸閉止固定部材にあっては、前記板状本体部と前記固定片部とを個別に製造して組み立てて使用することができるので、容易且つ低コストで実施することができる。
【００３０】
請求項７記載の開き戸閉止固定部材にあっては、前記開き戸の開放時には、前記固定片部を前記板状本体部と略平行な状態で保持して前記固定片部の前記開き戸との当接状態を解除することができるので、前記開き戸を開放状態にする際、前記固定片部が更に邪魔をせずに開放することができ、前記板状本体を更に短くして実施することができ、全体をより低コスト且つ美観を呈するコンパクトなものにすることができる。
【００３１】
請求項８記載の開き戸閉止固定部材にあっては、前記開き戸が鋼製等である場合、前記開き戸の閉鎖時に前記固定片部が前記開き戸の前記開放側端部の表面に磁力で固定されるので、特に、前記錠前の施錠時に、前記固定片部が安定した状態で固定される。
【図面の簡単な説明】
【００３２】
【図１】図１は、本考案に係る開き戸閉止固定部材の一実施形態を、メーターボックスの開き戸に使用し、施錠した状態を示す断面図である。
【図２】図２は、本考案に係る開き戸閉止固定部材の一実施形態を、メーターボックスの開き戸に使用し、施錠した状態を示す斜視図である。
【図３】図３は、本考案に係る開き戸閉止固定部材の一実施形態を示す斜視図である。
【図４】図４は、本考案に係る開き戸閉止固定部材の一実施形態の分解状態を示す斜視図である。
【考案を実施するための形態】
【００３３】
以下、本考案に係る開き戸閉止固定部材を、一実施形態に基づき、図面を参照して説明する。
【００３４】
先ず、一実施形態の構成について説明する。
図１〜図４は、本考案に係る一実施形態の開き戸閉止固定部材１０を説明するための図である。
【００３５】
この一実施形態の開き戸閉止固定部材１０は、図１〜図４に示すように、開き戸１１の開放側端部１１ａと、開き戸１１が閉止した状態における開放側端部１１ａの対向面部となる枠材１２の側面１２ａとの間に着脱可能に装着され、開き戸１１を施錠した状態で閉止固定する開き戸閉止固定部材である。
【００３６】
そして、この開き戸閉止固定部材１０は、孔部１３，・・・を有する板状本体部１４と、板状本体部１４の一端部に設けられ、対向面部となる枠材１２の側面１２ａに開設された凹部１５に係止可能な係止片部１６と、板状本体部１４に移動可能に装着され、開き戸１１に当接して開き戸１１を固定する固定片部１７と、孔部１３に係止され、固定片部１７の開き戸１１の固定状態を解放可能に維持する着脱可能な錠前としての南京錠１８とを有する。
【００３７】
そのうえで、開き戸１１が開放された状態で係止片部１６を凹部１５に係止させ、開き戸１１を閉止し、閉止した開き戸１１の外方から固定片部１７を開き戸１１の開放側端部１１ａに当接させ、錠前としての南京錠１８のＵ字形掛金部１９を孔部１３に挿入し、係止させて固定片部１７を開き戸１１の開放側端部１１ａに圧接させることにより開き戸１１を開放不可能に閉止固定する構成とされている。
【００３８】
また、図１及び図４に示すように、凹部１５に係止可能な係止片部１６の折り曲げ部には、凹部１５の下側を形成する枠材１２の板状部分に嵌り込むスリット状切欠１６ａ，１６ａが幅方向に設けられており、開き戸１１が左開き、右開きの場合の両方に対応できるようになっている。
【００３９】
なお、本実施形態においては、この開き戸１１は、メーターボックス２３の開き戸を例としており、枠材１２の側面１２ａに開設された凹部１５は、開き戸１１の開閉ハンドル２１と連動して出入りする通常クラッチボルトと言われる突出部２２が嵌まり込む箇所であり、メーターボックス２３には、通常設けられている。
【００４０】
具体的には、この開き戸閉止固定部材１０は、板状本体部１４は長方形板状であって、板状本体部１４の平面部１４ａは、一般のメーターボックス２３の開き戸１１の表面部から凹部１５の外側端部との間の間隔寸法よりも大きな長さ寸法に形成され、係止片部１６は板状本体部１４の長さ方向一端部において折曲形成されていると共に、固定片部１７には板状本体部１４が挿通可能なスリット部２０が開設され、固定片部１７はスリット部２０を介して板状本体部１４に挿通されて装着固定されており、孔部１３は板状本体部１４の長さ方向に沿って２つ及び幅方向に沿って２つの合計４つ、互いに対向して設けられている。
【００４１】
なお、板状本体部１４に孔部１３が４つ設けられている理由としては、メーターボックス２３の枠材１２の規格として、その内側角部と凹部１５の外側端部との間の長さが、８ｍｍと１６ｍｍの場合が多いため、いずれにも対応できるように構成されているからである。また、開き戸１１は、図示した左開きのものだけでなく、右開きのものもあるため、両者に対応できるようになっている。
【００４２】
また、板状本体部１４の長さ方向他端部には、装着された状態において反開き戸方向に折曲形成され、開き戸１１の開放時に錠前としての南京錠１８を板状本体部１４から取り外すことにより固定片部１７を開き戸１１との当接状態から解除する固定片部解放部２４を有する。
【００４３】
さらに、固定片部解放部２４は、板状本体部１４の長さ方向他端部を係止片部１６と同一の方向へ折曲して形成されている共に、スリット部２０の幅寸法よりも大きな長さ寸法の係止部２４ｂ，２４ｂが幅方向において一対に設けられている。
【００４４】
より具体的には、固定片解放部２４は、湾曲部２４ａと、湾曲部２４ａの端部に形成された係止部２４ｂ，２４ｂとを有し、開き戸１１の開放時には、固定片部１７を板状本体部１４と略平行な状態で保持して固定片部１７の開き戸１１との当接状態を解除するように構成されている。
【００４５】
また、図２及び図３に示すように、板状本体部１４の固定片解放部２４の係止部２４ｂ，２４ｂには、長さ方向に、２つの係止部としての孔２５，２６が設けられている。
【００４６】
そして、図２に示すように、係止部としての孔２５には、使用者を特定する情報が記載されたタグとして、留金２８を介して、本願考案者が考案した実用新案登録第３１９４６９２号公報に開示されたボタン２７が設けられている。
【００４７】
このタグとしてのボタン２７には、使用者を特定するための氏名、住所、電話番号等の連絡先が記載されている。
【００４８】
さらに、スリット部２０は板状本体部１４の幅寸法及び板厚寸法よりも大きな幅寸法及び長さ寸法に形成され、固定片部１７は板状本体部１４の長さ方向一端部側から板状本体部１４に挿入して装着できるように構成されている。
【００４９】
そのうえで、図２及び図３に示すように、上記した係止部としての孔２６と、固定片部１７に設けられた係止部としての孔１７ａとの間が、ワイヤーや糸等の紐状部材２９で繋がれている。
【００５０】
また、固定片部１７は、正方形状の板材からなり、中心に、スリット部２０が設けられている。
【００５１】
さらに、図１及び図４に示すように、固定片部１７の裏側の側面に磁石３０，３０が設けられており、鋼製の開き戸１１と枠材１２に着脱可能とされている。
【００５２】
すなわち、本実施形態の開き戸閉止固定部材１０は、固定片部の係止部としての孔１７ａ及びワイヤーや糸等の紐状部材２９を除いては、長さ方向を中心として幅方向において対称な形状である。
【００５３】
次に、本実施形態に係る開き戸閉止固定部材１０の作用効果について説明する。
【００５４】
この本考案の一実施形態の開き戸閉止固定部材１０によれば、図１〜図４に示すように、上記した構成なので、板状本体部１４の平面部１４ａの長さ寸法が開き戸１１の表面部から凹部１５の外側端部との間の間隔寸法よりも大きな長さ寸法に形成されているため、設置するにあたり、開き戸１１の開放側端部１１ａ及び対向面となる枠材１２の表面側と凹部１５との間の寸法にそれ程厳しい要求は必要とされないで機能することができるので、開き戸１１の開放側端部１１ａの対向面部となる枠材１２の様々な位置にある凹部１５に適用することができる開き戸閉止固定部材を提供することができる。
【００５５】
特に、本考案に係る開き戸閉止固定部材は、本願考案者が考案した実用新案登録第３２１３５６６号公報に開示された宅配ボックスを実施するにあたり、好適な技術であり、メーターボックス２３に加工を施さなくとも、メーターボックス２３の開き戸１１を施錠することができ、宅配ボックスとして利用することができる。
【００５６】
また、孔部１３は板状本体部１４の長さ方向及び幅方向に沿って複数設けられているため、設置するにあたり、開き戸１１の開放側端部１１ａ及び対向面となる枠材１２の表面側と凹部１５との間の寸法に大きな違いがあっても、また、開き戸１１が左開き、右開きにかかわらず、それに対応して機能することができるので、使い勝手が良い。
【００５７】
また、開き戸１１の開放時に固定片部１７を板状本体部１４の長さ方向他端部において板状本体部１４と反開き戸方向に傾けることができるので、開き戸１１を開放状態にする際、固定片部１７が邪魔をせずに開放することができ、板状本体１４を短くして実施することができ、全体を低コスト且つ美観を呈するコンパクトなものにすることができる。
【００５８】
さらに、開き戸１１の開放時には、固定片部１７を板状本体部１４と略平行な状態で保持して固定片部１７の開き戸１１との当接状態を解除することができるので、開き戸１１を開放状態にする際、固定片部１７が更に邪魔をせずに開放することができ、板状本体１４を更に短くして実施することができ、全体をより低コスト且つ美観を呈するコンパクトなものにすることができる。
【００５９】
また、固定片部解放部２４は、固定片部１７のスリット部２０の幅寸法よりも大きな長さ寸法の係止部２４ａを有しているため、板状本体部１４の長さ方向他端部から抜け落ちることがないので、不使用状態で、板状本体部１４と固定片部１７とが、固定片部解放部２４から分解状態になってしまうおそれがない。
【００６０】
さらに、板状本体部１４と固定片部１７とは、ワイヤーや糸等の紐状部材２９で繋がれているので、両者が離れ離れになることもない。
【００６１】
また、万一、落としたり、紛失したりしても、タグとしてのボタン２７に記載された情報により、使用者を特定することができるので、安心して使用することができる。
【００６２】
なお、このタグとしては、上記したように、本願考案者が考案した実用新案登録第３１９４６９２号公報に開示されたボタンを好適に使用することができる。
【００６３】
さらに、板状本体部１４と固定片部１７とを個別に製造して組み立てて使用することができるので、容易且つ低コストで実施することができる。
【００６４】
また、本実施形態では、開き戸１１及び枠材１２が鋼製等であり、開き戸１１の閉鎖時に固定片部１７が開き戸１１の開放側端部１１ａの表面及び枠材１２の表面に磁石３０，３０の磁力で固定されるので、特に、錠前としての南京錠１８の施錠時に、固定片部１７が安定した状態で固定される。
【００６５】
さらに、本実施形態の開き戸閉止固定部材１０は、長さ方向を中心にして、略対称な形状であるので、開き戸１１が左開き、右開きにかかわらず、使用することができる。
【００６６】
以上、本考案に係る開き戸閉止固定部材の一実施形態について図面を参照して詳述してきたが、具体的な構成は、この一実施形態に限らず、本考案の要旨を逸脱しない程度の設計的変更は、本考案に含まれる。
【００６７】
例えば、上記した一実施形態では、開き戸閉止固定部材１０は、本願考案者が考案した実用新案登録第３２１３５６６号公報に開示された宅配ボックスを実施するにあたり適用するものとしたが、これに限定されず、物置の開き戸等の他の開き戸に適用して実施してもよい。
【００６８】
また、錠前としての南京錠１８は、キーを差し込む方式のものやダイヤル式のもの等、どのようなタイプのものであってもよい。さらには、錠前は、南京錠１８にも限定されない。
【産業上の利用可能性】
【００６９】
本考案に係る開き戸閉止固定部材は、多くの人々が購入し、使用することができるので、産業上の利用可能性を有している。
【符号の説明】
【００７０】
１０    開き戸閉止固定部材
１１    開き戸
１１ａ  開き戸の開放側端部
１２    枠材（対向面部）
１２ａ  枠材の側面
１３    孔部
１４    板状本体部
１４ａ  板状本体部の平面部
１５    凹部
１６    係止片部
１６ａ  スリット状切欠
１７    固定片部
１７ａ  孔（係止部）
１８    南京錠（錠前）
１９    南京錠のＵ字形掛金部
２０    スリット部
２１    開き戸の開閉ハンドル
２２    突出部
２３    メーターボックス
２４    固定片部解放部
２４ａ  湾曲部
２４ｂ  係止部
２５    孔（係止部）
２６    孔（係止部）
２７    ボタン（タグ）
２８    留金
２９    紐状部材
３０    磁石
【図１】
0003219713.tif 000003
【図２】
0003219713.tif 000004
【図３】
0003219713.tif 000005
【図４】
0003219713.tif 000006